(57)【特許請求の範囲】
【請求項１】
被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、
前記調理室に被調理物を収納して前記調理設定温度に加熱制御する調理工程の初期の制御を制御部によって実行するとともに、
前記制御部は、
前記調理設定温度に昇温制御温度をプラスした高加熱温度を前記温度検出センサが検出するまでは前記ファンの運転と前記バーナの燃焼による燃焼熱気とによって前記調理室内を加熱制御するとともに、
前記調理工程の初期に前記温度検出センサが検出した温度が周囲温度よりも高い所定温度以上の場合には、この所定温度を超える温度が高いほど前記昇温制御温度を低くした状態で制御する
ことを特徴とする調理器。
【請求項２】
被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、
前記調理室に被調理物を収納して前記調理設定温度に加熱制御する調理工程の初期の制御を制御部によって実行するとともに、
前記制御部は、
前記調理設定温度に昇温制御温度をプラスした高加熱温度を前記温度検出センサが検出するまでは前記ファンの運転と前記バーナの燃焼による燃焼熱気とによって前記調理室内を加熱する制御と、
前記温度検出センサが前記高加熱温度を検出したときは前記バーナを燃焼停止又は低燃焼状態に制御すると共に前記ファンを停止又は低速回転状態とする制御と、
以後、前記温度検出センサが検出する所定の上限温度と所定の下限温度によって前記調理設定温度にし、かつ前記温度検出センサが前記所定の上限温度を検出してから前記所定の下限温度を検出するまでは、前記バーナを燃焼停止又は低燃焼状態とすると共に、前記ファンを停止又は低速回転状態とする制御と、
前記調理工程の初期に前記温度検出センサが検出した温度が周囲温度よりも高い所定温度以上の場合には、この所定温度を超える温度が高いほど前記昇温制御温度を低くした状態とする制御と、
を実行することを特徴とする調理器。
【請求項３】
被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、
前記調理室に被調理物を収納して前記調理設定温度に加熱制御する調理工程の初期の制御を制御部によって実行するとともに、
前記制御部は、
前記調理設定温度に昇温制御温度をプラスした高加熱温度を前記温度検出センサが検出するまでは前記ファンの運転と前記バーナの燃焼による燃焼熱気とによって前記調理室内を加熱制御するとともに、
前記調理工程の初期に前記温度検出センサの検出に基づく温度上昇または温度上昇勾配が所定値よりも大きい場合は、低い（小さい）前記昇温制御温度で制御する
ことを特徴とする調理器。
【請求項４】
被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、
前記調理室に被調理物を収納して前記調理設定温度に加熱制御する調理工程の初期の制御を制御部によって実行するとともに、
前記制御部は、
前記調理設定温度に昇温制御温度をプラスした高加熱温度を前記温度検出センサが検出するまでは前記ファンの運転と前記バーナの燃焼による燃焼熱気とによって前記調理室内を加熱する制御と、
前記温度検出センサが前記高加熱温度を検出したときは前記バーナを燃焼停止又は低燃焼状態に制御すると共に前記ファンを停止又は低速回転状態とする制御と、
以後、前記温度検出センサが検出する所定の上限温度と所定の下限温度によって前記調理設定温度にし、かつ前記温度検出センサが前記所定の上限温度を検出してから前記所定の下限温度を検出するまでは、前記バーナを燃焼停止又は低燃焼状態とすると共に、前記ファンを停止又は低速回転状態とする制御と、
前記調理工程の初期に前記温度検出センサの検出に基づく温度上昇又は温度上昇勾配が所定値よりも大きい場合は、低い（小さい）前記昇温制御温度とする制御と、
を実行する
ことを特徴とする調理器。
【発明の詳細な説明】
【技術分野】
【０００１】
本発明は、被調理物を収納して加熱する調理室内をバーナの燃焼熱気によって所定温度に加熱して所謂オーブン調理を行う調理器に関する。
【背景技術】
【０００２】
被調理物を収納して加熱調理する調理室内にガスバーナの燃焼熱気を循環して所定温度に加熱して所謂オーブン調理を行うものでは、調理メニューによっては、調理室内を予め所定温度に予熱後に調理室内に被調理物を収納して調理を開始する場合がある。一方、上記熱源にガスバーナのように比較的火力の強い熱源を用いたものでは、温度検出センサの耐熱温度や、調理室内の平均温度を検出したい等の理由によって、調理室内の排気の一部を外部に排出する排気通路に温度検出センサを配置して、この温度検出センサの温度検知に基づき、ガスバーナのＯＮ−ＯＦＦ制御（点火―消火制御）を行なっている。
【０００３】
予熱時には、調理室内に被調理物が収納されていないために熱負荷が少なく、調理室内が予熱温度に到達する前に排気温度が予熱温度以上に上昇して予熱の終了を報知することがあり、予熱温度の不足による調理時間の設定ミスや、美味な調理仕上がりが得られない等の問題があり、これを解決する発明として、調理室の予熱時には温度検出センサのＯＮ−ＯＦＦにより、数回バーナをＯＮ−ＯＦＦ制御（点火―消火制御）した後、予熱終了を報知するようにしたものがある。（特許文献１参照）。
【特許文献１】特許第３４９５６０３号公報
【発明の開示】
【発明が解決しようとする課題】
【０００４】
このように、調理室内の排気が通る排気通路に設けた温度検出センサの温度検出（所定の上限温度と下限温度の検出）によって、調理室の温度制御を行う場合、調理室内の温度が設定した調理設定温度に上昇していないにも拘らず、所定の上限温度を温度検出センサが検出して、ガスバーナがＯＦＦするため、上記従来技術では、バーナを数回ＯＮ−ＯＦＦ制御（点火―消火制御）するため、それに伴い、ガス供給の電磁弁がＯＮ−ＯＦＦ制御する。電磁弁がＯＮ−ＯＦＦ制御回数が多くなれば耐久性が低下するため、ＯＮ−ＯＦＦ制御回数は少なくするのがよい。
【０００５】
本発明では、このような点に鑑みて、上記の方式に替わって、調理室に被調理物を収納して所定の調理設定温度に加熱制御する調理工程の初期の制御として、調理設定温度よりも高い温度まで昇温加熱して、調理室の温度が速やかに所定の調理設定温度に到達するようすることによって、設定した調理時間でもって美味な調理仕上がりが得られると共に、バーナをＯＮ−ＯＦＦ制御する電磁弁の開閉回数を少なくして電磁弁の故障率を低下させ、更に、ガスの消費を節約することができる調理器を提供するものである。
【課題を解決するための手段】
【０００６】
第１発明の調理器は、被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、前記調理室に被調理物を収納して前記調理設定温度に加熱制御する調理工程の初期の制御を制御部によって実行するとともに、前記制御部は、前記調理設定温度に昇温制御温度をプラスした高加熱温度を前記温度検出センサが検出するまでは前記ファンの運転と前記バーナの燃焼による燃焼熱気とによって前記調理室内を加熱制御するとともに、前記調理工程の初期に前記温度検出センサが検出した温度が周囲温度よりも高い所定温度以上の場合には、この所定温度を超える温度が高いほど前記昇温制御温度を低くした状態で制御することを特徴とする。
【０００７】
第２発明の調理器は、被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、前記調理室に被調理物を収納して前記調理設定温度に加熱制御する調理工程の初期の制御を制御部によって実行するとともに、前記制御部は、前記調理設定温度に昇温制御温度をプラスした高加熱温度を前記温度検出センサが検出するまでは前記ファンの運転と前記バーナの燃焼による燃焼熱気とによって前記調理室内を加熱する制御と、前記温度検出センサが前記高加熱温度を検出したときは前記バーナを燃焼停止又は低燃焼状態に制御すると共に前記ファンを停止又は低速回転状態とする制御と、以後、前記温度検出センサが検出する所定の上限温度と所定の下限温度によって前記調理設定温度にし、かつ前記温度検出センサが前記所定の上限温度を検出してから前記所定の下限温度を検出するまでは、前記バーナを燃焼停止又は低燃焼状態とすると共に、前記ファンを停止又は低速回転状態とする制御と、前記調理工程の初期に前記温度検出センサが検出した温度が周囲温度よりも高い所定温度以上の場合には、この所定温度を超える温度が高いほど前記昇温制御温度を低くした状態とする制御と、を実行することを特徴とする。
【０００８】
第３発明の調理器は、被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、前記調理室に被調理物を収納して前記調理設定温度に加熱制御する調理工程の初期の制御を制御部によって実行するとともに、前記制御部は、前記調理設定温度に昇温制御温度をプラスした高加熱温度を前記温度検出センサが検出するまでは前記ファンの運転と前記バーナの燃焼による燃焼熱気とによって前記調理室内を加熱制御するとともに、前記調理工程の初期に前記温度検出センサの検出に基づく温度上昇または温度上昇勾配が所定値よりも大きい場合は、低い（小さい）前記昇温制御温度で制御することを特徴とする。
【０００９】
第４発明の調理器は、被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、前記調理室に被調理物を収納して前記調理設定温度に加熱制御する調理工程の初期の制御を制御部によって実行するとともに、前記制御部は、前記調理設定温度に昇温制御温度をプラスした高加熱温度を前記温度検出センサが検出するまでは前記ファンの運転と前記バーナの燃焼による燃焼熱気とによって前記調理室内を加熱する制御と、前記温度検出センサが前記高加熱温度を検出したときは前記バーナを燃焼停止又は低燃焼状態に制御すると共に前記ファンを停止又は低速回転状態とする制御と、以後、前記温度検出センサが検出する所定の上限温度と所定の下限温度によって前記調理設定温度にし、かつ前記温度検出センサが前記所定の上限温度を検出してから前記所定の下限温度を検出するまでは、前記バーナを燃焼停止又は低燃焼状態とすると共に、前記ファンを停止又は低速回転状態とする制御と、前記調理工程の初期に前記温度検出センサの検出に基づく温度上昇又は温度上昇勾配が所定値よりも大きい場合は、低い（小さい）前記昇温制御温度とする制御と、を実行することを特徴とする。
【発明の効果】
【００１０】
第１発明及び第３発明では、調理室に被調理物を収納して所定の調理設定温度に加熱制御する調理工程の初期の制御として、調理設定温度よりも高い温度まで昇温加熱して、調理室の温度が速やかに所定の調理設定温度に到達するようすることによって、設定した調理時間でもって美味な調理仕上がりが得られると共に、バーナをＯＮ−ＯＦＦ制御する電磁弁の開閉回数を少なくして、ガスの消費量を減少させると共に、電磁弁の故障率を低下させることができる調理器を提供できる。
【００１１】
第２発明及び第４発明では、調理室に被調理物を収納して所定の調理設定温度に加熱制御する調理工程の初期の制御として、調理設定温度よりも高い温度まで昇温加熱して、調理室の温度が速やかに所定の調理設定温度に到達するようすることによって、設定した調理時間でもって美味な調理仕上がりが得られると共に、バーナをＯＮ−ＯＦＦ制御する電磁弁の開閉回数を少なくして電磁弁の故障率を低下させることができる調理器を提供できる。そして、昇温加熱した後は、温度検出センサが検出する所定の上限温度と所定の下限温度によって調理設定温度に制御（所謂、サーモ運転）され、温度検出センサが所定の上限温度を検出してから所定の下限温度を検出するまでは、バーナを燃焼停止または低燃焼状態に制御すると共にファンを停止または低速回転状態に制御するため、所謂、サーモ運転における省エネ効果が達成できるものとなる。
【００１２】
また、第１発明及び第２発明では、調理工程の初期の温度によって、昇温制御温度が変わることにより、省エネ効果を図るものである。即ち、調理工程の初期の温度検出センサが検出した温度が高いときは、その状態で加熱すれば調理室の温度上昇が速くなるため、速やかに設定した調理設定温度に到達できることとなるため、この場合は、低い昇温制御温度での制御として、省エネ効果を図るようにする。また、温度検出センサが検出した温度が低いときは、高い昇温制御温度で制御することによって、速やかに設定した調理設定温度に到達できることとなり、設定した調理時間でもって美味な調理仕上がりが得られると共に、バーナをＯＮ−ＯＦＦ制御する電磁弁の開閉回数を少なくして電磁弁の故障率を低下させることができる調理器を提供できる。
【００１３】
また、第３発明及び第４発明では、調理室内に収納された被調理物の種類、即ち熱負荷の大きさによって、調理室の温度上昇または温度上昇勾配が変わる。即ち、シュークリームのシューや、クッキーのような軽熱負荷の場合に比して、スポンジケーキのように重熱負荷の場合には、調理室の温度上昇または温度上昇勾配が小さく、設定した調理設定温度に到達できる時間が長くなるため、この場合は、高い昇温制御温度で制御することによって、速やかに設定した調理設定温度に到達できることとなり、ガス消費量も抑制されると共に、バーナをＯＮ−ＯＦＦ制御する電磁弁の開閉回数を少なくして電磁弁の故障率を低下させることができる調理器を提供でき、第１発明乃至第３発明の効果に加えた効果が期待できる。また、本発明の初期昇温制御を行なわない場合は、シュークリームのシュー等では、焼き色が濃くなりすぎる弊害が出るが、本発明の熱負荷の判定によってそれを解消できるものとなる。
【発明を実施するための最良の形態】
【００１４】
本発明の調理器は、被調理物を収納して加熱を行う調理室内にバーナの燃焼熱気をファンによって供給すると共に、前記調理室から出た排気温度を温度検出センサにより検出して前記バーナを制御し、前記調理室内を予め設定された調理設定温度に加熱制御するものにおいて、前記調理室に被調理物を収納して前記調理設定温度に加熱制御する調理工程の初期の制御として、制御部によって、前記調理設定温度に昇温制御温度をプラスした高加熱温度を前記温度検出センサが検出するまで、前記ファンの運転と前記バーナの燃焼による燃焼熱気によって前記調理室内を加熱制御するものであり、以下に、本発明の実施例を記載する。
【実施例１】
【００１５】
本発明に係る加熱調理器の実施形態について説明する。図１は本発明に係る加熱調理器の正面斜視図、図２は本発明に係る加熱調理器の中央部の縦断側面図、図３は本発明に係る加熱調理器の操作パネル対応部分の縦断側面図、図４は本発明に係る加熱調理器の操作パネルの正面図、図５は本発明に係る加熱調理器の制御回路の構成図、図６は本発明に係る調理器の制御温度特性図、図７は本発明に係る調理器の調理工程の初期温度と昇温制御温度の関係図、図８は本発明に係る調理器の調理室の温度上昇と昇温制御温度の関係図である。
【００１６】
発明に係る加熱調理器の実施例を図に基づき説明すると、１は例えばシステムキッチン等に組み込んで使用する床置型の加熱調理器本体であり、加熱調理器本体内には調理室を構成するように、前面に開口する調理室４が形成されている。調理室４の前面開口は、扉２によって開閉自在に閉じられており、扉２は、左右下部に回動軸を備えており、上端部に設けた取っ手５を手前に引くことによって、手前側に開閉自在に枢支されている。そして、扉２の横に隣接して操作パネル３を配置している。扉２は、周囲の枠体部２Ａの内側に耐熱ガラス２Ｂで構成した窓を形成し、調理室４を外から透視できる構成である。
【００１７】
調理室４の底部の略中央部には、ターンテーブル６が電動機装置７から上方へ延びた回転軸８によって回転するように配置されている。加熱調理器本体１内には、調理室４を加熱する熱源部１０が収納されている。熱源部１０は、本発明に係る加熱調理器がガスオーブンの場合は、ガスバーナ９と、このガスバーナ９で発生する熱風を調理室４に供給する熱風用ファン１１で構成されている。調理室４の外側後方に空間１８が形成され、空間１８には、電動機１１Ａによって回転される熱風用ファン１１が配置されている。熱風用ファン１１と同軸に電動機１１Ａによって回転される冷却ファン１１Ｂを設け、電動機１１Ａの前面側の熱を後述の排気孔２４から排出されるようにしている。調理室４の外側下方には、燃焼室１８Ａとガス供給室１８Ｂが相互間を壁で区画された状態で併設され、燃焼室１８Ａとガス供給室１８Ｂの後部が空間１８に連通している。燃焼室１８Ａには、ガスバーナ９が収納され、ガス供給源からガス管１２を通して供給されるガスは、第１電磁弁１３、ガス圧調整弁１４、及び第２電磁弁１５を備えたガス供給部２６を通って、ガス管１６から一対のガスバーナ９へ供給される。第１電磁弁１３と第２電磁弁１５を備えるのは、安全確保のためである。ガスバーナ９に近接して点火用電極１７が配置されている。ガス供給部２６は、ガス供給室１８Ｂに収納され、ガス供給室１８Ｂには電動機１９によって回転する冷却用ファン２０が配置されている。調理室４の天井壁の透過孔を通してマイクロ波を照射するように、加熱調理器本体１内上部にマグネトロン８０が設けられ、電子レンジ加熱調理が可能になっている。
【００１８】
ガスバーナ９での燃焼によって発生する熱風（加熱空気）は、熱風用ファン１１によって調理室４の背壁に形成した多数の熱風供給孔２１から調理室４に供給されて矢印のように循環し、調理室４の背壁上部に形成した多数の吐出孔２２から排気通路２３を通って、加熱調理器本体１の天板に形成した排気孔２４から排出される。このようにして、ターンテーブル６上に載せた調理物（被加熱物）が高温に加熱される。冷却用ファン２０の運転によって、加熱調理器本体１の前面下部の吸気孔２５から吸い込んだ空気が、ガス供給室１８Ｂを通ってガス供給部２６を冷却しつつ、空間１８を通って排気孔２４から排出される。２７は温度検出センサであり、２８は庫内の異常温度検出センサである。２９は、ガスバーナ９の点火を検出する炎検出センサである。
【００１９】
図４は操作パネル３の実施例を示すもので、上部に液晶パネルや蛍光表示管等で構成した表示器３１を配置していると共に、この表示器３１の下方に操作部３２を配置している。表示器３１には、調理メニュー表示部３３と、温度や出力を表示する設定表示部３４と、時間やタイマを表示するタイマ部３５等を配置している。調理メニュー表示部３３は、自動メニュー３３Ａと手動メニュー３３Ｂに区分し、自動メニュー３３Ａとして複数のメニューを文字表示し、手動メニュー３３Ｂとして複数のメニューを文字表示している。
【００２０】
操作部３２には、キーロックを設定するロックキー３６と、音声の音量を設定する音声キー３７と、操作パネル３をギヤードモータ４９によって下端が手前に出てくる傾斜状態に作動させまた垂直状態に戻すための操作パネルキー３８とを横並びに配置し、これらのキーの下方に自動メニュー３３Ａを選択設定する自動調理キー３９と、手動メニュー３３Ｂを選択設定する手動調理キー４０と、調理の仕上がり状態を強めや弱めに設定する仕上がりキー４１とを横並びに配置し、かつこれらのキーの下方に調理温度を設定する温度キーとして、温度アップキー４２と温度ダウンキー４３を横並びに配置し、更にこれらのキーの下方に時間やタイマ時間を設定する時間キーとして、１０分単位時間キー４４、１分単位時間キー４５、秒単位時間キー４６を横並びに配置し、これら時間キーの下方にスタートキー４７と取消しキー４８を配置している。
【００２１】
図５は制御手段を構成する制御回路５０の実施例を示すもので、商用の交流電源５１に扉２の開閉に応じて接点を開閉するドアスイッチ５２を介して電源回路５３を接続していると共に、この電源回路５３の出力側に制御部を構成するマイクロコンピュータ５４を接続している。
【００２２】
又、上記マイクロコンピュータ５４の出力ポートには、上記表示器３１を駆動する表示回路５５と、ブザー５６を作動するブザー回路５７と、操作パネル３を電動により斜めに傾斜するギヤードモータ４９を駆動するモータ駆動回路５９と、熱風用ファン１１の電動機１１Ａと冷却用ファン２０の電動機１９を駆動するモータ駆動回路７１と、加熱調理器本体１の熱源であるガスバーナ９への燃料供給を制御する電磁弁１３、１５を駆動する電磁弁駆動回路６０と、ガスバーナ９のガスへ点火する点火用電極１７で高圧放電させるための点火器駆動回路６１と、調理室である調理室４を照明する庫内灯６２を点滅する庫内灯駆動回路６３と、ターンテーブル６用の電動機装置７の電動機７Ａを駆動するモータ駆動回路８２と、マイクロ波照射用のマグネトロン８０の駆動回路８１を接続し、同じく入力ポートには、扉２の開閉を検出するドア開閉検出回路６４の出力と、操作部３２に配置した各操作キーの入力を検出するキー入力回路６５の出力と、調理室４の温度を検出する温度検出センサ２７を入力とする庫内温度検出回路６６の出力と、ガスバーナ９の点火を検出する炎検出センサ２９を入力とする炎検出回路６７の出力とを接続していると共に、入出力ポートにはデータ記憶用のメモリ７０を接続している。扉２を開いたとき庫内灯駆動回路６３によって庫内灯６２が点灯し、扉２を閉じたとき庫内灯駆動回路６３によって庫内灯６２が消灯する。
【００２３】
尚、６８はマイクロコンピュータ５４の出力ポートに接続した自己保持回路で、その出力にてドアスイッチ５２に並列接続した自己保持用のリレー接点６９を駆動するもので、扉２が開かれてドアスイッチ５２が閉じ、電源回路５３によりマイクロコンピュータ５４に通電されると、自己保持回路６８の出力にてリレー接点６９を閉じ、調理の開始等により扉２が閉じてドアスイッチ５２が開いても、リレー接点６９を介して電源回路５３に通電し、調理を継続する様に構成している。
【００２４】
又、マイクロコンピュータ５４は、調理が終了して所定時間経過した場合や、扉２が閉じられてから所定時間経過しても操作部３２に配置した各操作キーの入力操作が無い場合には、上記リレー接点６９を開いて電源回路５３への通電を遮断し、所謂待機時には電力を消費しない様に構成している。
【００２５】
更に、マイクロコンピュータ５４は、扉２が開いて通電されると、モータ駆動回路５９の出力にてギヤードモータ４９を作動して、操作パネル３を、その下端が手前側へ飛び出す状態に傾斜させ、操作部３２に配置した各キーの操作を行ない易く構成している。
【００２６】
例えば、使用者は一旦扉２を開いてターンテーブル６上（又はこのターンテーブル６上に載せたオーブン調理用皿上）に調理物（被加熱物）を載せて扉２を閉める。このように一旦扉２を開いたことによって、ドアスイッチ５２が閉じて電源回路５３によって電力が供給され、自己保持回路６８が動作してリレー接点６９が閉じ、自己保持状態となっており、電源回路５３によって電力が供給された状態となる。扉２を閉めた状態において、表示回路５５が動作し、自動調理キー３９と手動調理キー４０対応のＬＥＤが点灯して、このいずれかにキーの操作を促す。ここで、ターンテーブル６上に載せた調理物（被加熱物）が「牛乳」である場合は、自動調理キー３９を押し、そして例えば「牛乳」の文字部分をＯＮ操作し、スタートキー４７をＯＮすることによって、調理加熱工程の一種であるあたためモードが開始し、マイクロコンピュータ５４の動作に基づき、レンジ調理タイマがスタートすると共に、駆動回路８１が動作してマグネトロン８０が動作して調理室４にマイクロ波を照射し、ターンテーブル６上の「牛乳」をマイクロ波加熱する。また、モータ駆動回路８２も動作して電動機７Ａが運転され、ターンテーブル６が一方向へゆっくりと回転する。そして、所定時間経過して、ブザーやランプ等によりあたためモードの終了を報知すると共に、マイクロコンピュータ５４の動作に基づき、駆動回路８１が動作してマグネトロン８０の動作を停止し、またモータ駆動回路８２によって電動機７Ａが運転を停止して、ターンテーブル６が回転を停止する。
【００２７】
ガスや電気によって加熱された調理室４に収納した調理物（被加熱物）をオーブン加熱調理する場合、調理室４を予め所定温度に予熱する場合がある。これについて以下に説明する。
【００２８】
加熱調理器本体１をシステムキッチン等の所定場所へ設置した状態で、電源プラグを商用の交流電源５１のコンセントへ接続し、扉２を一旦開いて閉じる動作によって、ドアスイッチ５２が閉じて電源回路５３によって電力が供給され、自己保持回路６８が動作してリレー接点６９が閉じ、自己保持状態となり、電源回路５３によって電力が供給された状態となる。この状態において、表示回路５５が動作し、自動調理キー３９と手動調理キー４０対応のＬＥＤが点灯して、このいずれかにキーの操作を促す。
【００２９】
ここで手動調理キ−４０をＯＮ操作することによって、手動メニュー３３Ｂが選択設定されて点灯表示すると同時に「レンジ」表示の右横に三角印が表示される。そこで手動調理キー４０をＯＮ操作する（押す）ごとに上記三角印が「コンビ」、「オーブン」、「レンジ」へと順次サイクル移動するため、オーブン調理加熱を行なう場合は、図４の状態で手動メニュー３３Ｂの部分を２度ＯＮすることにより「オーブン」の文字部分に三角印が移動し、オーブンモードになる。
【００３０】
このオーブンモードにおいて、先ず、予熱工程を含むオーブンモードについて説明する。上記三角印が「オーブン」の右横に位置している状態にて、時間キー４４、４５、４６対応のＬＥＤがそれぞれ点灯して時間設定を促すと共に、温度アップキー４２と温度ダウンキー４３にそれぞれ対応のＬＥＤがそれぞれ点灯して、温度設定を促す。このため温度アップキー４２と温度ダウンキー４３を操作することによって、キー入力回路６５が動作して、任意のオーブン調理設定温度（例えば、１８０℃）に設定する。この設定した１８０℃の温度は、３桁の８字条の設定表示部３４に表示されると共に、この設定値はメモリ７０に記憶される。この状態で、ＬＥＤにて点灯表示しているスタートキー４７と取消しキー４８のうち、取消しキー４８をＯＮ操作すればスタート時の状態に戻るが、動作を継続する場合は、スタートキー４７をＯＮすることによって、「予熱」の文字に対応したＬＥＤが点灯して予熱状態を表示し、電磁弁駆動回路６０が動作して電磁弁１３、１５を開き、ガスバーナ９への燃料供給が行われると共に、点火器駆動回路６１が動作して点火用電極１７で高圧放電させ、ガスバーナ９のガスへ点火する。また、スタートキー４７のＯＮによって、モータ駆動回路７１が動作して熱風用ファン１１の電動機１１Ａと冷却用ファン２０の電動機１９が運転（ＯＮ）されて、予熱開始状態となる。
【００３１】
ガスバーナ９によるガス燃焼と熱風用ファン１１の運転（ＯＮ）によって、調理室４の温度が上昇し、温度検出センサ２７の検出による庫内温度検出回路６６の出力値と、メモリ７０に記憶したオーブン調理設定温度（例えば、１８０℃）の設定値との比較が順次行われ、調理室４の温度がこの設定温度（後述の上限温度）に達すると、電磁弁駆動回路６０により電磁弁１５を閉じてガスバーナ９を消火する。電磁弁１３は開のままである。そして、ガスバーナ９の消化により調理室４温度が低下して後述の下限温度に低下すると、再び電磁弁１５を開くと共に点火器駆動回路６１を動作してガスバーナ９を点火し、同時に熱風用ファン１１を運転する。この結果調理室４温度が上昇して再び後述の上限温度に達すると、予熱終了をブザーやランプ等により報知した後、扉２が開くまでの間、そのオーブン調理設定温度に調理室４を保つように、電磁弁駆動回路６０による電磁弁１５の開閉を行い、ガスバーナ９の点滅を行う。電磁弁１３は開のままである。なお、このとき熱風用ファン１１の電動機１１Ａと冷却用ファン２０の電動機１９は、モータ駆動回路７１により継続して運転（ＯＮ）を行う。扉２が開くとガスバーナ９の燃焼は停止する。上記では、予熱終了をブザーやランプ等により報知する時点が、設定温度（後述の上限温度）に２度達したときであるが、これに限定されず、１回目で報知してもよく、また３回目、４回目等任意の時点で報知するようにしてもよく、または、庫内温度が設定温度（後述の上限温度）に達した1回目から所定時間経過後の報知する方式でもよい。
【００３２】
このように調理室４がオーブン調理設定温度に保たれた状態において、使用者は一旦扉２を開いてターンテーブル６上（又はこのターンテーブル６上に載せたオーブン調理用皿上）に調理物（被加熱物）を載せて扉２を閉める。これによって、時間キー４４、４５、４６対応のＬＥＤがそれぞれ点灯して時間設定を促すと共に、設定表示部３４の「予熱」文字対応のＬＥＤが消灯する。この状態で、時間キー４４、４５、４６を操作してオーブン調理設定時間を定めるオーブン調理タイマを設定する。この設定したオーブン調理設定時間は、３桁の８字状のタイマ部３５に表示されると共に、この設定値はメモリ７０に記憶される。
【００３３】
この状態で、スタートキー４７と取消しキー４８対応のＬＥＤが点灯し、このキー操作を促す。ここで、取消しキー４８をＯＮ操作すれば前の状態に戻るが、動作を継続する場合は、スタートキー４７をＯＮして、オーブンスタートする。これによって、マイクロコンピュータ５４の動作に基づき、設定したオーブン調理タイマがスタートし、オーブン調理工程を開始して、カウントダウン動作が開始されると共に、モータ駆動回路８２も動作して電動機７Ａが運転され、ターンテーブル６が一方向へゆっくりと回転する。
【００３４】
そして、調理室４をオーブン調理設定温度（上記１８０℃）に保つように、温度検出センサ２７の検出による庫内温度検出回路６６の出力値と、メモリ７０に記憶したオーブン調理設定温度（上記１８０℃）の設定値との比較に基づき、熱源部１０が動作して、電磁弁駆動回路６０による電磁弁１３、１４の開閉と、点火器駆動回路６１の動作による点火用電極１７の制御動作と、モータ駆動回路７１による熱風用ファン１１の電動機１１Ａと冷却用ファン２０の電動機１９の運転（ＯＮ）・停止（ＯＦＦ）を行う。
【００３５】
上記において、例えば、オーブン調理設定温度を１８０℃に保つには、温度検出センサ２７が検出する所定の上限温度（例えば、１８５℃）と所定の下限温度（例えば、１７５℃）によって、所謂サーモＯＮ−ＯＦＦ制御によって、この上限温度と下限温度の平均値である調理設定温度の１８０℃に制御されるものであり、オーブン調理設定温度を任意温度に設定した場合のいずれにおいても、同様の制御動作によって、設定した温度に制御されるものである。
【００３６】
このため、オーブン調理工程の開始によって、調理室４の温度が上昇して、温度検出センサ２７の検出による庫内温度検出回路６６の出力値が、メモリ７０に記憶したオーブン調理設定温度（上記１８０℃）の上限温度（例えば、１８５℃）に達したとき、電磁弁駆動回路６０により電磁弁１５が閉じ（電磁弁１３は開いたまま）、モータ駆動回路７１による熱風用ファン１１の電動機１１Ａと冷却用ファン２０の電動機１９を停止（ＯＦＦ）する。そして、調理室４の温度が下降して、温度検出センサ２７の検出による庫内温度検出回路６６の出力値が、メモリ７０に記憶したオーブン調理設定温度（上記１８０℃）の下限温度（例えば、１７５℃）に達したとき、電磁弁駆動回路６０により電磁弁１５が開き、モータ駆動回路７１による熱風用ファン１１の電動機１１Ａと冷却用ファン２０の電動機１９が運転（ＯＮ）状態となる。このように、上限温度（サーモＯＦＦ温度、例えば、１８５℃）と下限温度（サーモＯＮ温度、例えば、１７５℃）によって、ガスバーナ９の燃焼制御と共に熱風用ファン１１の運転制御を行って、調理室４内を調理設定温度（サーモＯＮ温度とサーモＯＦＦ温度の平均温度、例えば、１８０℃）に制御する。
【００３７】
このようにして、オーブン調理設定温度（上記１８０℃）の状況の下に、オーブン調理工程が進行して、ターンテーブル６上（又はこのターンテーブル６上に載せたオーブン調理用皿上）の調理物（被加熱物）は、その内部が焼かれる。この状態は、オーブン調理タイマの設定時間中行われる。そして、オーブン調理タイマの設定時間の終了によって、オーブン調理工程が終了し、熱源部１０が停止する。即ち、モータ駆動回路７１の動作によって、熱風用ファン１１の電動機１１Ａが停止（ＯＦＦ）し、電磁弁駆動回路６０によって電磁弁１３、１５が閉じてガスバーナ９でのガス燃焼は行われない。またマイクロコンピュータ５４の動作に基づき、モータ駆動回路８２も動作して電動機７Ａが運転を停止する。
【００３８】
上記実施例は、ガスオーブンについて記載したが、これに替わって、本発明に係る加熱調理器が電気オーブンの場合は、熱源部１０は、自然対流式加熱方式のものでは電気ヒータであり、強制対流式加熱方式のものは、電気ヒータとこの電気ヒータで加熱した空気を調理室４へ循環する熱風用ファンで構成される。この場合も、庫内温度がオーブン調理設定温度に低下するまでは、熱源部１０による調理室４の加熱を停止し、オーブン調理工程では熱源部１０による調理室４の加熱を開始する制御を行うようにする。そして、熱源部１０が調理室４への熱風を供給するファンを備えるものでは、予熱工程ではこのファンは運転され庫内温度がオーブン調理設定温度に低下するまではこのファンは停止し、オーブン調理工程への移行によってファンが運転されると共にオーブン調理設定時間のタイマ動作が開始するようにする。このため、発明の本質に変わりはない。
【００３９】
次に予熱工程を含まないオーブンモードについて説明する。この場合は、使用者は一旦扉２を開いてターンテーブル６上（又はこのターンテーブル６上に載せたオーブン調理用皿上）に調理物（被加熱物）を載せて扉２を閉める。そして、上記のように、手動調理キ−４０をＯＮ操作することによって、手動メニュー３３Ｂが選択設定されて点灯表示すると同時に「レンジ」表示の右横に三角印が表示される。そこで手動調理キー４０をＯＮ操作する（押す）ごとに上記三角印が「コンビ」、「オーブン」、「レンジ」へと順次サイクル移動するため、オーブン調理加熱を行なう場合は、図４の状態で手動メニュー３３Ｂの部分を２度ＯＮすることにより「オーブン」の文字部分に三角印が移動し、オーブンモードになる。そして、上記三角印が「オーブン」の右横に位置している状態にて、時間キー４４、４５、４６対応のＬＥＤがそれぞれ点灯して時間設定を促すと共に、温度アップキー４２と温度ダウンキー４３にそれぞれ対応のＬＥＤがそれぞれ点灯して、温度設定を促す。この状態で、温度アップキー４２と温度ダウンキー４３を操作することによって、キー入力回路６５が動作して、任意のオーブン調理設定温度（例えば、１８０℃）に設定する。この設定した１８０℃の温度は、３桁の８字条の設定表示部３４に表示されると共に、この設定値はメモリ７０に記憶される。次に、時間キー４４、４５、４６を操作してオーブン調理設定時間を定めるオーブン調理タイマを設定する。この設定したオーブン調理設定時間は、３桁の８字状のタイマ部３５に表示されると共に、この設定値はメモリ７０に記憶される。
【００４０】
この状態で、ＬＥＤにて点灯表示しているスタートキー４７と取消しキー４８のうち、取消しキー４８をＯＮ操作すれば前の状態に戻るが、動作を継続する場合は、スタートキー４７をＯＮして、オーブンスタートする。これによって、マイクロコンピュータ５４の動作に基づき、オーブン調理タイマが動作し、モータ駆動回路８２も動作して電動機７Ａが運転され、ターンテーブル６が一方向へゆっくりと回転し、電磁弁駆動回路６０が動作して電磁弁１３、１５を開き、ガスバーナ９への燃料供給が行われると共に、点火器駆動回路６１が動作して点火用電極１７で高圧放電させ、ガスバーナ９のガスへ点火する。また、スタートキー４７のＯＮによって、モータ駆動回路７１が動作して熱風用ファン１１の電動機１１Ａと冷却用ファン２０の電動機１９が運転（ＯＮ）される。
【００４１】
通常の状態では、オーブン調理工程の開始前は、調理器の調理室４は略周囲温度と同等であるため、温度検出センサ２７が検出する温度はこの周囲温度である。このため、オーブン調理工程の開始によって、調理室４をオーブン調理設定温度（上記１８０℃）に保つように、温度検出センサ２７の検出による庫内温度検出回路６６の出力値と、メモリ７０に記憶したオーブン調理設定温度（上記１８０℃）の設定値との比較に基づき、熱源部１０が動作して、電磁弁駆動回路６０による電磁弁１５の開閉と、点火器駆動回路６１の動作による点火用電極１７の制御動作と、モータ駆動回路７１による熱風用ファン１１の電動機１１Ａと冷却用ファン２０の電動機１９の運転（ＯＮ）・停止（ＯＦＦ）を行う。またこれと共に、設定したオーブン調理タイマがスタートし、カウントダウン動作が開始する。
【００４２】
即ち、オーブン調理工程の開始によって、調理室４の温度が上昇して、温度検出センサ２７の検出による庫内温度検出回路６６の出力値が、メモリ７０に記憶したオーブン調理設定温度（上記１８０℃）の上限温度（例えば、１８５℃）に達したとき、電磁弁駆動回路６０により電磁弁１５が閉じ（電磁弁１３は開いたまま）、モータ駆動回路７１による熱風用ファン１１の電動機１１Ａと冷却用ファン２０の電動機１９を停止（ＯＦＦ）する。そして、調理室４の温度が下降して、温度検出センサ２７の検出による庫内温度検出回路６６の出力値が、メモリ７０に記憶したオーブン調理設定温度（上記１８０℃）の下限温度（例えば、１７５℃）に達したとき、電磁弁駆動回路６０により電磁弁１５が開き、モータ駆動回路７１による熱風用ファン１１の電動機１１Ａと冷却用ファン２０の電動機１９が運転（ＯＮ）状態となる。このように、上限温度（サーモＯＦＦ温度、例えば、１８５℃）と下限温度（サーモＯＮ温度、例えば、１７５℃）によって、ガスバーナ９の燃焼制御と共に熱風用ファン１１の運転制御を行って、調理室４内を調理設定温度（サーモＯＮ温度とサーモＯＦＦ温度の平均温度、例えば、１８０℃）に制御する。
【００４３】
このようにして、オーブン調理設定温度（上記１８０℃）の状況の下に、オーブン調理工程が進行して、ターンテーブル６上（又はこのターンテーブル６上に載せたオーブン調理用皿上）の調理物（被加熱物）は、加熱されその内部が焼かれる。この状態は、オーブン調理タイマの設定時間中行われる。そして、オーブン調理タイマの設定時間の終了によって、オーブン調理工程が終了し、熱源部１０が停止する。即ち、モータ駆動回路７１の動作によって、熱風用ファン１１の電動機１１Ａが停止（ＯＦＦ）し、電磁弁駆動回路６０によって電磁弁１３、１５が閉じてガスバーナ９でのガス燃焼は行われない。またマイクロコンピュータ５４の動作に基づき、モータ駆動回路８２も動作して電動機７Ａが運転を停止する。
【００４４】
本発明は、調理室を構成する調理室４に被調理物を収納して所定の調理設定温度（例えば、１８０℃）に加熱制御する調理工程の初期の制御として、調理設定温度（例えば、１８０℃）よりも高い温度（例えば、２１０℃）まで昇温加熱して、調理室４の温度が速やかに所定の調理設定温度（例えば、１８０℃）に到達するようすることによって、設定した調理時間でもって美味な調理仕上がりが得られると共に、ガスバーナ９をＯＮ−ＯＦＦ制御する電磁弁１３、１５の開閉回数を少なくして電磁弁１３、１５の故障率を低下させることができる調理器を提供する。
【００４５】
本発明の調理器は、被調理物を収納して加熱を行う調理室４内にガスバーナ９の燃焼熱気を熱風用ファン１１によって供給すると共に、調理室４から出た排気温度を温度検出センサ２７により検出してガスバーナ９を制御し、調理室４内を予め設定された調理設定温度（例えば、１８０℃）に加熱制御するものにおいて、調理室４に被調理物を収納して調理設定温度（例えば、１８０℃）に加熱制御する調理工程の初期の制御として、制御部を構成するマイクロコンピュータ５４によって、調理設定温度（例えば、１８０℃）に昇温制御温度（例えば、３０℃）をプラスした高加熱温度（例えば、２１０℃）を温度検出センサ２７が検出するまで、熱風用ファン１１の運転とガスバーナ９の燃焼による燃焼熱気によって、調理室４内を加熱制御する。
【００４６】
この場合の制御と温度特性は図６のグラフＡに示しており、これを参照して以下に説明する。上記調理工程の初期の制御として、制御部を構成するマイクロコンピュータ５４によって、調理設定温度（例えば、１８０℃）に昇温制御温度（例えば、３０℃）をプラスした高加熱温度（例えば、２１０℃）を温度検出センサ２７が検出するまで、熱風用ファン１１の正規の高速回転数による運転とガスバーナ９の正規燃焼による燃焼熱気によって調理室４内を加熱し、温度検出センサ２７が高加熱温度（例えば、２１０℃）を検出したとき、ガスバーナ９を燃焼停止または低燃焼状態に制御すると共に、熱風用ファン１１を停止または低速回転状態に制御する。そして、それ以後、温度検出センサ２７が検出する所定の上限温度（例えば、１８５℃）と所定の下限温度（例えば、１７５℃）によって、所謂サーモＯＮ−ＯＦＦ制御によって、この上限温度と下限温度の平均値である調理設定温度（例えば、１８０℃）に制御され、温度検出センサ２７が所定の上限温度（これが所謂サーモＯＦＦ温度であり、例えば、１８５℃）を検出してから所定の下限温度（これが所謂サーモＯＮ温度であり、例えば、１７５℃）を検出するまでは、ガスバーナ９を燃焼停止または低燃焼状態に制御すると共に、熱風用ファン１１を停止または低速回転状態に制御する。なお図６のグラフＢは、従来技術における温度特性である。
【００４７】
これによって、徐々に調理室４内の温度が低下し、それに伴って排気通路２３の温度も低下し、温度検出センサ２７が所定の下限温度（これが所謂サーモＯＮ温度であり、例えば、１７５℃）を検出すると、ガスバーナ９を正規の燃焼状態に制御すると共に、熱風用ファン１１を正規の高速回転状態に制御して、調理室４内を加熱する。このように、温度検出センサ２７が検出する所定の上限温度（サーモＯＦＦ温度、例えば、１８５℃）と所定の下限温度（サーモＯＮ温度、例えば、１７５℃）によって、ガスバーナ９の燃焼制御と共に熱風用ファン１１の運転制御を行って、調理室４内を調理設定温度（サーモＯＮ温度とサーモＯＦＦ温度の平均温度、例えば、１８０℃）に制御する。
【００４８】
調理設定温度（例えば、１８０℃）で調理室４内を加熱する調理工程に入る前に、上記のように、予熱機能のある調理器においては、調理室４内を予熱する予熱工程を行なう場合（即ち、熱付加手段による加熱状態の場合）がある。また、一旦調理工程を行なって終了後に、まだ調理室４内がかなりの温度を保っている間（残余熱がある状態の場合）に、次の調理工程を行なう場合がある。このような場合には、全くの周囲温度の状況下で調理工程を行なう場合に比して、調理室４内が調理設定温度（例えば、１８０℃）に到達するのが速くなり、全くの周囲温度の状況下で調理工程を行なう場合と同様に定めた昇温制御温度（例えば、３０℃）をプラスした加熱を行なえば、無駄な加熱を行なうこととなる。また、このような場合には、被調理物が焦げる虞がある。
【００４９】
本発明では、このように、周囲温度の状況下で調理工程をスタートするのではなく、調理工程のスタート時の調理室４内温度（温度検出センサ２７が検出する調理工程の初期の温度）が、周囲温度よりも高い所定温度以上の場合には、調理設定温度（例えば、１８０℃）にプラスする基準の昇温制御温度（例えば、３０℃）を低くなるように変更した値（昇温制御温度）によって、上記調理工程の初期の加熱制御を行うようにしている。この場合、調理工程の初期の温度が、周囲温度よりも高い所定温度以上の場合には、この所定温度を超える温度が高くなるほど調理設定温度（例えば、１８０℃）にプラスする基準の昇温制御温度（例えば、３０℃）を小さく（低く）するようにして、無駄な加熱を行なうことの防止と、被調理物の焦げ付き防止を図っている。
【００５０】
例えば、図７のように、予熱工程のない場合（予熱ナシ）には、温度検出センサ２７が検出する調理工程の初期の温度が、８０℃以下のときは昇温制御温度を３０℃とし、１００℃以上で昇温制御温度を３０℃とし、１２０℃以上で昇温制御温度を２０℃とし、１５０℃以上で昇温制御温度を１０とするように、制御部を構成するマイクロコンピュータ５４によって制御される。この場合、８０℃を超え１２０℃未満の範囲は昇温制御温度を３０℃とした制御となり、１００℃を超え１５０℃未満の範囲は昇温制御温度を２０℃とした制御となる。
【００５１】
また、図７のように、予熱工程の有る場合（予熱あり）には、温度検出センサ２７が検出する調理工程の初期の温度が、８０℃以下のときは昇温制御温度を３０℃とし、１００℃以上で昇温制御温度を２０℃とし、１２０℃以上で昇温制御温度を１０℃とし、１５０℃以上で昇温制御温度を０（ゼロ）とするように、制御部を構成するマイクロコンピュータ５４によって制御される。この場合、８０℃を超え１００℃未満の範囲は昇温制御温度を３０℃とした制御となり、１００℃を超え１２０℃未満の範囲は昇温制御温度を２０℃とした制御となり、１２０℃を超え１５０℃未満の範囲は昇温制御温度を１０℃とした制御となる。
【００５２】
また、調理室４内に収納された被調理物の種類、即ち熱負荷の大きさによって、調理室４の温度上昇勾配が変わる。即ち、シュークリームのシューや、クッキーのような軽熱負荷の場合に比して、スポンジケーキのように重熱負荷の場合には、調理室４の温度上昇が遅く（温度上昇勾配が小さい）、設定した調理設定温度（例えば、１８０℃）に到達できる時間が長くなる。このため、本発明では、この場合は、高い（大きい）昇温制御温度で制御するようにして、速やかに設定した調理設定温度に到達できるようにすることによって、ガス消費量を抑制すると共に、ガスバーナ９をＯＮ−ＯＦＦ制御する電磁弁１５の開閉回数を少なくして、電磁弁１５の故障率を低下させることができる調理器を提供するように構成している。また、本発明の初期昇温制御を行なわない場合は、シュークリームのシュー等では、焼き色が濃くなりすぎる弊害が出るが、本発明の熱負荷の判定によってそれを解消できるものとなる。
【００５３】
即ち、調理工程が開始して所定時間経過後の上昇した温度が何度であるかによって、実質的に熱負荷による温度上昇または温度上昇勾配が測定できるため、各調理工程の初期の所定時間における温度検出センサ２７の検出に基づく温度を測定し、その温度が基準温度Ｔ０以上またはＴ０より高い場合は、制御部を構成するマイクロコンピュータ５４によって軽熱負荷であると判定し、昇温制御温度を小さくするように、制御部を構成するマイクロコンピュータ５４によって制御される。また、温度検出センサ２７の検出に基づく温度が、基準温度Ｔ０未満またはＴ０以下の場合は、制御部を構成するマイクロコンピュータ５４によって重熱負荷であると判定され、昇温制御温度を軽熱負荷の場合よりも大きい値にするかまたは基準値に戻すように、制御部を構成するマイクロコンピュータ５４によって制御される。
【００５４】
この１つの実施例を図８に示す。これにおいて、各調理工程毎に、その初期の所定時間（例えば３０秒〜６０秒）経過後の温度検出センサ２７が検出した温度を測定し、その温度が基準温度Ｔ０以上またはＴ０より高いＴ２である場合は、制御部を構成するマイクロコンピュータ５４によって軽熱負荷であると判定する。この判定によって、昇温制御温度を基準値（例えば、３０℃）よりも小さい値、例えば１０℃とした制御が、制御部を構成するマイクロコンピュータ５４によって行なわれる。また、各調理工程毎に、その初期の所定時間（例えば３０秒〜６０秒）経過後の温度検出センサ２７が検出した温度が、基準温度Ｔ０未満またはＴ０以下であるＴ１の場合は、制御部を構成するマイクロコンピュータ５４によって重熱負荷であると判定する。この判定によって、昇温制御温度を軽熱負荷の場合よりも大きい値で制御するか、または基準値（例えば、３０℃）に戻した制御とするように、制御部を構成するマイクロコンピュータ５４によって制御される。
【００５５】
このようにして、各調理工程が開始から所定の短時間（例えば、３０秒〜６０秒）の温度上昇または温度上昇勾配が測定できるため、その温度上昇または温度上昇勾配が基準値（所定値）よりも大きい場合は、昇温制御温度を小さくした制御が、制御部を構成するマイクロコンピュータ５４によって行なわれる。また、各調理工程が開始から所定の短時間（例えば、３０秒〜６０秒）の温度上昇または温度上昇勾配が、基準値（所定値）よりも小さい場合は、昇温制御温度を大きくした制御または基準値で制御するように、制御部を構成するマイクロコンピュータ５４によって行なわれることによって、所期の目的が達成できる。
【００５６】
このように、いずれの昇温制御温度で制御するかを決めるのを、各調理工程の開始から所定の短時間（例えば、３０秒〜６０秒）で決定するのは、できるだけ各調理工程の初期から好ましい昇温制御温度で制御することによって、省エネ運転と、電磁弁１３、１５の故障率を低下させ、且つ好ましい調理が達成できるようにするためである。
【００５７】
なお、各調理工程毎の初期の所定時間（例えば３０秒〜６０秒）経過後の温度検出センサ２７が検出した温度が、基準温度Ｔ０に対して未満または以下の場合には、基準温度Ｔ０から低下するに従って、昇温制御温度を段階的に大きくする方式としてもよい。また、各調理工程毎の初期の所定時間（例えば３０秒〜６０秒）経過後の温度検出センサ２７が検出した温度が、基準温度Ｔ０に対してそれ以上またはそれを超過する場合には、基準温度Ｔ０からアップするに従って、昇温制御温度を段階的に小さくする方式としてもよい。
【００５８】
なお、各調理工程毎の初期の所定時間（例えば３０秒〜６０秒）経過後の温度検出センサ２７が検出した温度が、基準温度Ｔ０に対して未満または以下の場合には、基準値の昇温制御温度で制御するようにし、また、基準温度Ｔ０に対してそれ以上またはそれを超過する場合には、昇温制御温度をゼロ（昇温制御ナシ）で制御するようにすることもできる。
【産業上の利用可能性】
【００５９】
加熱調理器は上記実施例に示した構成に限定されず、種々の形態のものに適用できるものであり、本発明の技術範囲において種々の形態を包含するものである。
【図面の簡単な説明】
【００６０】
【図１】本発明に係る加熱調理器の正面斜視図である。（実施例１）
【図２】本発明に係る加熱調理器の中央部の縦断側面図である。（実施例１）
【図３】本発明に係る加熱調理器の操作パネル対応部分の縦断側面図である。（実施例１）
【図４】本発明に係る加熱調理器の操作パネルの正面図である。（実施例１）
【図５】本発明に係る加熱調理器の制御回路の構成図である。（実施例１）
【図６】本発明に係る調理器の制御温度特性図である。（実施例１）
【図７】本発明に係る調理器の調理工程の初期温度と昇温制御温度の関係図である。（実施例１）
【図８】本発明に係る調理器の調理室の温度上昇と昇温制御温度の関係図である。（実施例１）
【符号の説明】
【００６１】
１・・・・加熱調理器本体
２・・・・扉
３・・・・操作パネル
４・・・・庫内
５・・・・取っ手
６・・・・ターンテーブル
７・・・・電動機装置
１０・・・熱源部
１１・・・熱風用ファン
１１Ａ・・電動機
１２・・・ガス管
１３・・・第１電磁弁
１４・・・手動開閉弁
１５・・・第２電磁弁
１６・・・ガス管
１７・・・点火用電極
１８・・・ガス供給室
２０・・・冷却用ファン
２１・・・熱風供給孔
２２・・・吐出孔
２３・・・排気通路
２４・・・排気孔
２５・・・吸気孔
２６・・・ガス供給部
２７・・・温度検出センサ
２９・・・炎検出センサ
３１・・・表示器
３２・・・操作部
３３・・・調理メニュー表示部
３３Ａ・・自動メニュー
３３Ｂ・・手動メニュー
３９・・・自動調理キー
４０・・・手動調理キー
４２・・・温度アップキー
４３・・・温度ダウンキー
４４、４５、４６・・・時間キー
４７・・・スタートキー
４８・・・取り消しキー
５０・・・制御回路（制御手段）
５１・・・交流電源
５２・・・ドアスイッチ
５３・・・電源回路
５４・・・マイクロコンピュータ
５５・・・表示回路
５６・・・ブザー
５７・・・ブザー回路
６０・・・電磁弁駆動回路
６１・・・点火器駆動回路
６２・・・庫内灯
６３・・・庫内灯駆動回路
６４・・・ドア開閉検出回路
６５・・・キー入力回路
６６・・・庫内温度検出回路
６７・・・炎検出回路
６８・・・自己保持回路
６９・・・リレー接点
７０・・・メモリ
８０・・・マグネトロン
【図１】
0005043536.tif 000002
【図２】
0005043536.tif 000003
【図３】
0005043536.tif 000004
【図４】
0005043536.tif 000005
【図５】
0005043536.tif 000006
【図６】
0005043536.tif 000007
【図７】
0005043536.tif 000008
【図８】
0005043536.tif 000009